(57)【要約】      （修正有）【課題】異物の侵入を防ぎつつ摺動性の良いレンズユニット及び投影装置を提供する。【解決手段】第１レンズ部品（固定鏡筒４１０）を覆い第１レンズ部品に固定される筒状の第１カバー部品６１０と、その第１レンズ部品に対して移動可能な第２レンズ部品（可動カム鏡筒４３０）を覆い第２レンズ部品に固定されて、第１カバー部品６１０の前端と重ねて配置される筒状の第２カバー部品６２０と、第２レンズ部品に対して移動可能な第３レンズ部品（フォーカスレンズ５２０）を覆い第３レンズ部品に固定されて、第２カバー部品６２０の前端と重ねて配置される筒状の第３カバー部品６３０と、第１カバー部品６１０と第２カバー部品６２０との間に配置される第１摺動部材７１０と、第２カバー部品６２０と第３カバー部品６３０との間に配置されて第１摺動部材７１０とは異なる摩擦抵抗の第２摺動部材７２０と、を備える。【選択図】図６
2019061011.tif 000002
【特許請求の範囲】
【請求項１】
ケースと、
第１レンズ部品、第２レンズ部品、及び第３レンズ部品を有し、当該第１レンズ部品を介して前記ケースに固定されるレンズユニット本体と、
前記第１レンズ部品の後端を覆い前記ケースに固定される筒状部を含む第１カバー部品と、
前記第１レンズ部品に対して移動可能な前記第２レンズ部品を覆い該第２レンズ部品に固定されて、その後端が前記第１カバー部品の前端と第１摺動部材を介して重ねて配置される筒状の第２カバー部品と、
前記第１レンズ部品に対して移動可能な前記第３レンズ部品を覆い該第３レンズ部品に固定されて、その後端が前記第２カバー部品の前端と第２摺動部材を介して重ねて配置される筒状の第３カバー部品と、
前記第１カバー部品に対する前記第２カバー部品の摺動抵抗は、前記第２カバー部品に対する前記第３カバー部品の摺動抵抗より大きいことを特徴とするレンズユニット。
【請求項２】
前記第２摺動部材は、前記第１摺動部材よりも摩擦抵抗が小さいことを特徴とする請求項１に記載のレンズユニット。
【請求項３】
前記第１摺動部材は、前記第１カバー部品の前端の外周に配置され、
前記第２摺動部材は、前記第２カバー部品の前端の外周に配置される、
ことを特徴とする請求項１又は請求項２に記載のレンズユニット。
【請求項４】
前記第２カバー部品の後端及び前記第３カバー部品の後端の内縁は、テーパ状に形成されることを特徴とする請求項３に記載のレンズユニット。
【請求項５】
前記第１カバー部品は、密閉空間に形成された光路の開口部に固定され、
前記第３カバー部品は、前端に透光性のあるレンズカバーにより封止される、
ことを特徴とする請求項１〜４の何れか１項に記載のレンズユニット。
【請求項６】
前記第１レンズ部品は、固定鏡筒であり、
前記第２レンズ部品は、前記第１レンズ部品に対して前後方向及び周方向に移動可能な可動鏡筒であり、
前記第３レンズ部品は、前記第２レンズ部品に対して前後方向及び周方向に移動可能な可動レンズである、
ことを特徴とする請求項１〜５の何れか１項に記載のレンズユニット。
【請求項７】
請求項１〜６の何れかに記載のレンズユニットと、
光源装置と、
前記光源装置からの光源光が照射され、画像光を形成する表示素子と、
前記表示素子と前記光源装置を制御する投影装置制御部と、
を有し、
前記レンズユニットは、前記表示素子から出射された前記画像光をスクリーンに投影する、
ことを特徴とする投影装置。
【発明の詳細な説明】
【技術分野】
【０００１】
本発明は、レンズユニット及び投影装置に関する。
【背景技術】
【０００２】
従来から、伸縮可能な筒状の鏡筒部品にレンズ等の精密部品を収容した、カメラやプロジェクタ等の電子機器が提案されている。例えば、プロジェクタは、光源から出射された光を、ＤＭＤ（デジタル・マイクロミラー・デバイス）と呼ばれるマイクロミラー表示素子、又は、液晶板に集光させ、筒状のレンズユニットを介してスクリーン上にカラー画像を表示させる。
【０００３】
特許文献１の投影装置は、投影側光学系において、投影画像のズーム調整やフォーカス調整を行うための固定レンズや可動レンズを備える。可動レンズは、固定レンズに対して相対的に移動させることができる。可動レンズを支える可動鏡筒は、固定レンズを支える固定鏡筒と重なりながら摺動する構成となる。
【０００４】
特許文献２の撮像装置には、防水カメラに用いるレンズユニットにおいて、鏡筒の外筒と内筒の間の複数個所に防水パッキンを設けて防水性能を高める技術が開示されている。これにより、この撮像装置は防水性能を高めることを可能としている。
【先行技術文献】
【特許文献】
【０００５】
【特許文献１】特開２００９−９２８１７号公報
【特許文献２】特開２００５−２１５１５２号公報
【発明の概要】
【発明が解決しようとする課題】
【０００６】
特許文献１の投影装置では、可動レンズと固定レンズとが相対的に摺動すると、部品間の隙間から粉塵等の異物が侵入することで、画像の品質が低下することが想定される。特許文献２の構成は、鏡筒の外筒及び内筒の部分を駆動させる際に、防水パッキンの摩擦抵抗が大きく、鏡筒の摺動性が低下するという課題があり、さらにズームやフォーカスのためにレンズユニットを操作する際に、各レンズカバー間に摩擦抵抗があるためフォーカスの調整を行う時にズームレンズも動いてしまうという問題が生じることがあった。
【０００７】
本発明は、以上の点に鑑み、摺動性が良く、フォーカスレンズが正しく駆動可能なレンズユニット及び投影装置を提供することを目的とする。
【課題を解決するための手段】
【０００８】
本発明に係るレンズユニットは、ケースと、第１レンズ部品、第２レンズ部品、及び第３レンズ部品を有し、当該第１レンズ部品を介して前記ケースに固定されるレンズユニット本体と、前記第１レンズ部品の後端を覆い前記ケースに固定される筒状部を含む第１カバー部品と、前記第１レンズ部品に対して移動可能な前記第２レンズ部品を覆い該第２レンズ部品に固定されて、その後端が前記第１カバー部品の前端と第１摺動部材を介して重ねて配置される筒状の第２カバー部品と、前記第１レンズ部品に対して移動可能な前記第３レンズ部品を覆い該第３レンズ部品に固定されて、その後端が前記第２カバー部品の前端と第２摺動部材を介して重ねて配置される筒状の第３カバー部品と、前記第１カバー部品に対する前記第２カバー部品の摺動抵抗は、前記第２カバー部品に対する前記第３カバー部品の摺動抵抗より大きいことを特徴とする。
【０００９】
本発明に係る投影装置は、上述のレンズユニットと、光源装置と、前記光源装置からの光源光が照射され、画像光を形成する表示素子と、前記表示素子と前記光源装置を制御する投影装置制御部と、を有し、前記レンズユニットは、前記表示素子から出射された前記画像光をスクリーンに投影する、ことを特徴とする。
【発明の効果】
【００１０】
本発明によれば摺動性が良く、ズームレンズとフォーカスレンズが正しく駆動可能なレンズユニット及び投影装置を提供することができる。
【図面の簡単な説明】
【００１１】
【図１】本発明の実施形態１に係る投影装置を示す外観斜視図である。
【図２】本発明の実施形態１に係る投影装置の機能ブロックを示す図である。
【図３】本発明の実施形態１に係る投影装置の内部構造を示す平面模式図である。
【図４】本発明の実施形態１に係る光源装置のケース内部の平面模式図である。
【図５】本発明の実施形態１に係るレンズユニットの前方左上から見た分解斜視図である。
【図６】本発明の実施形態１に係るレンズユニットの前方右下から見た分解斜視図である。
【図７】本発明の実施形態１に係る摺動部材の展開図である。
【図８】本発明の実施形態１に係る図３に示したレンズユニットのＶＩＩＩ−ＶＩＩＩ断面図である。
【図９】本発明の実施形態２に係るレンズユニットの部品を示す図であり、（ａ）は中幅の摺動部材の展開図であり、（ｂ）は中幅の摺動部材を配置した第１カバー部品を示す図である。
【図１０】本発明の実施形態２に係るレンズユニットの部品を示す図であり、（ａ）は細幅の摺動部材の展開図であり、（ｂ）は細幅の摺動部材を配置した第２カバー部品を示す図である。
【発明を実施するための形態】
【００１２】
（実施形態１）
以下、本発明を実施するための形態について説明する。図１は、投影装置１０の外観斜視図である。本実施形態の投影装置１０は、上本体ケース１０ａ及び下本体ケース１０ｂを備える。投影装置１０の筐体の側板である正面パネル１２、背面パネル１３、右側パネル１４、及び左側パネル１５は、上本体ケース１０ａの外周縁から下方に向かって立設する。各パネル１２〜１５の下端は、下本体ケース１０ｂの外周縁と当接する。したがって、投影装置１０は、上本体ケース１０ａと下本体ケース１０ｂにより略直方体状に形成される。なお、本実施形態において、投影装置１０における左右とは投影方向に対しての左右方向を示し、前後とは投影装置１０のスクリーン側方向及び光線束の進行方向に対しての前後方向を示す。
【００１３】
投影装置１０の筺体の上面パネル１１には、キー／インジケータ部３７、投影画像調整部１１ａが設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱した時に報知をする過熱インジケータ等の各種設定を行うためのキーやインジケータが配置されている。本実施形態の投影画像調整部１１ａは、２つの回動摘みを備える。この回動摘みを操作することにより、図４等で後述する投影側光学系のズームの位置が調節され、投影画像の大きさやピントの調整が行われる。また、投影装置１０は、図示しないが、リモートコントローラからの制御信号を受信するＩｒ受信部を備えている。
【００１４】
正面パネル１２と右側パネル１４の前方右側の角部５０１には、吸気孔３１０が設けられる。正面パネル１２の左側には、すり鉢状に窪んだ光出射部１２ａが設けられる。この光出射部１２ａの左側パネル１５側の内壁には、吸気孔３２０が形成される。投影装置１０は、光出射部１２ａに、投影口１２ｂと、投影口１２ｂを覆うレンズカバー１９を有する。
【００１５】
正面パネル１２の下端には、高さ調整ボタン１２ｃが設けられる。投影装置１０は、正面パネル１２側の内部に支脚を備える。投影装置１０は、高さ調整ボタン１２ｃが押下されている間、下方からその支脚を出没させることができる。よって、使用者は、高さ調整ボタン１２ｃを操作することにより支脚を任意の出代量で固定し、投影装置１０の高さや傾きを調節することができる。
【００１６】
背面パネル１３には、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネル１３において、右側パネル１４側の角部５０３に吸気孔３３０が形成され、左側パネル１５側の角部５０４にも排気孔３４０が形成される。
【００１７】
次に、投影装置１０の投影装置制御部について図２の機能ブロック図を用いて説明する。投影装置制御部は、制御部３８、入出力インターフェース２２、画像変換部２３、表示エンコーダ２４、表示駆動部２６等から構成される。
【００１８】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００１９】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００２０】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２１】
表示駆動部２６は、表示エンコーダ２４から出力された画像信号に対応して適宜フレームレートで空間的光変調素子（ＳＯＭ）である表示素子５１を駆動するものである。
【００２２】
投影装置１０は、光源装置６０から出射された光源光の光線束を、後述する導光光学系を介して表示素子５１に照射することにより、表示素子５１の反射光で光像（画像）を形成する。投影装置１０は、その形成した光像を同じく後述する投影側光学系を介してスクリーンに投影し、画像を表示させる。なお、この投影側光学系のズームレンズ５１０及びフォーカスレンズ５２０は、投影画像調整部１１ａによりズーム調整やフォーカス調整のための駆動が行われる。
【００２３】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２４】
また、画像圧縮／伸長部３１は、再生モード時はメモリカード３２に記録された画像データを読み出し、一連の動画を構成する個々の画像データを１フレーム単位で伸長する。そして、画像圧縮／伸長部３１は、その画像データを、画像変換部２３を介して表示エンコーダ２４に出力し、メモリカード３２に記憶された画像データに基づいた動画等を表示する処理を行う。
【００２５】
筺体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６で復調されたコード信号が制御部３８に出力される。
【００２６】
なお、制御部３８にはシステムバス（ＳＢ）を介して音声処理部４７が接続されている。この音声処理部４７は、ＰＣＭ音源等の音源回路を備えており、投影モード及び再生モード時には音データをアナログ化し、スピーカ４８を駆動して拡声放音させる。
【００２７】
また、制御部３８は、光源制御手段としての光源制御回路４１を制御している。この光源制御回路４１は、画像生成時に要求される所定波長帯域の光が光源装置６０から出射されるように、光源装置６０の緑色光源装置における励起光照射装置や、赤色光源装置の発光を個別に制御する。光源装置６０から出射された所定の波長帯域の光は、照射ミラー１８５で反射され、表示素子５１に照射される。
【００２８】
制御部３８は、冷却ファン駆動制御回路４３に光源装置６０等に設けた複数の温度センサによる温度検出を行わせ、この温度検出の結果から冷却ファンの回転速度を制御させている。また、制御部３８は、投影装置１０の電源をＯＦＦにする指示を受けると、冷却ファン駆動制御回路４３にタイマーを用いて投影装置１０本体の電源ＯＦＦ後も冷却ファンの回転を持続させたり、温度センサによる温度検出の結果に応じて投影装置１０本体の電源を切るタイミングを定めたり等の制御を行うことができる。
【００２９】
次に、投影装置１０の内部構造について述べる。図３は、投影装置１０の内部構造を示す平面模式図である。投影装置１０は、電源装置３０１、制御回路基板３０２、光源装置６０を備える。また、投影装置１０は、冷却ファンとして、吸気ファン２６０、吸気ファン２７０、排気ファン２８０を備える。
【００３０】
光源装置６０は、投影装置１０の筐体の略中央に配置される。光源装置６０は、ケース６１によって、内部に光源、レンズ、ミラー等の光学部材を収容する。電源装置３０１は、光源装置６０の左側パネル１５側に配置される。電源装置３０１の基板は、左側パネル１５と略平行に配置される。制御回路基板３０２は、光源装置６０の背面パネル１３側に配置される。制御回路基板３０２は、上下方向に対し略垂直に配置される。制御回路基板３０２は、電源回路ブロックや光源制御ブロック等を備える。また、制御回路基板３０２は、電源回路ブロックや光源制御ブロック等の機能毎に分けて、複数備えることができる。
【００３１】
ここで、光源装置６０の内部構造について説明する。図４は、光源装置６０の平面模式図である。光源装置６０は、赤色波長帯域光の光源である赤色光源装置１２０と、緑色波長帯域光の光源である緑色光源装置８０と、青色波長帯域光の光源である青色光源装置であると共に励起光源でもある励起光照射装置７０と、を備える。緑色光源装置８０は、励起光照射装置７０と、蛍光板装置１００により構成される。光源装置６０は、導光光学系１４０を有する。導光光学系１４０は、緑色波長帯域光及び青色波長帯域光及び赤色波長帯域光の光線束を合わせて、各色波長帯域の光線束を同一光路上に導光する。
【００３２】
励起光照射装置７０は、投影装置１０筐体の右側パネル１４側に配置される。励起光照射装置７０は、背面パネル１３と光軸が平行になるよう配置された複数の固体発光素子を備える。本実施形態の固体発光素子は、青色波長帯域光を発する複数の青色レーザダイオード７１である。また、複数の青色レーザダイオード７１は、右側パネル１４と平行に並べて配置されている。これら青色レーザダイオード７１は、ホルダ７４に固定される。
【００３３】
また、励起光照射装置７０は、反射ミラー７６、拡散板７８、ヒートシンク８１を備える。反射ミラー７６は、各青色レーザダイオード７１からの出射光の光軸を拡散板７８に向けて略９０度変換する。拡散板７８は、反射ミラー７６で反射した各青色レーザダイオード７１からの出射光を予め定められた拡散角度で拡散する。図３に示すように、ヒートシンク８１は、青色レーザダイオード７１と右側パネル１４との間に配置される。
【００３４】
図４に戻り、各青色レーザダイオード７１からの光路上には、青色レーザダイオード７１からの出射光の指向性を高めて平行光に変換するコリメータレンズ７３が夫々配置されている。これらコリメータレンズ７３は、青色レーザダイオード７１とともにホルダ７４に保持される。
【００３５】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を出射する固体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。また、赤色光源装置１２０は、赤色光源１２１の右側パネル１４側にヒートシンク１３０を備える。
【００３６】
緑色光源装置８０を構成する蛍光板装置１００は、蛍光板１０１、モータ１１０、入射側の集光レンズ１１７ａ，１１７ｂ、出射側の集光レンズ１１５を備える。蛍光板１０１は、励起光照射装置７０からの出射光の光軸と直交するように配置された蛍光ホイールである。この蛍光板１０１はモータ１１０により回転駆動する。集光レンズ１１７ａ，１１７ｂは、励起光照射装置７０から出射される励起光の光線束を蛍光板１０１に集光する。集光レンズ１１５は、蛍光板１０１から正面パネル１２方向に出射される光線束を集光する。なお、蛍光板装置１００は、集光レンズ１１７ａ，１１７ｂ，１１５の上方に配置される。そのため、蛍光板１０１の下方の一部が集光レンズ１１７ａ，１１７ｂ，１１５の光路上に配置される。
【００３７】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として出射される。
【００３８】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色波長帯域光及び赤色波長帯域光を透過し、緑色波長帯域光を反射する。第一ダイクロイックミラー１４１が反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００３９】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、背面パネル１３側に９０度変換される。第二ダイクロイックミラー１４８の背面パネル１３側には、集光レンズ１７３が配置される。第二ダイクロイックミラー１４８により反射された赤色波長帯域光及び緑色波長帯域光は、集光レンズ１７３に入射する。
【００４０】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、集光レンズ１７３に入射する。このようにして、導光光学系１４０により導光された赤色、緑色、青色の各波長帯域光の光線束は、光源側光学系１７０の同一光路上に導光される。
【００４１】
光源側光学系１７０は、集光レンズ１７３、ライトトンネルやガラスロッド等の導光装置１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影側光学系２２０に向けて出射するため、投影側光学系２２０の一部でもある。
【００４２】
集光レンズ１７３から出射した各光線束は、導光装置１７５に入射する。導光装置１７５に入射される各光線束は、導光装置１７５により均一な強度分布の光線束となる。
【００４３】
導光装置１７５の背面パネル１３側の光軸上には、集光レンズ１７８を介して、光軸変換ミラー１７９が配置されている。導光装置１７５の出射口から出射した光線束は、集光レンズ１７８で集光された後、光軸変換ミラー１７９により、集光レンズ１８３に向かう光軸に変換される。
【００４４】
光軸変換ミラー１７９で反射した光線束は、集光レンズ１８３により集光された後、照射ミラー１８５により、コンデンサレンズ１９５を介して表示素子５１に所定の角度で照射される。なお、表示素子５１の背面パネル１３側にはヒートシンク１９０が設けられている。ＤＭＤである表示素子５１は、このヒートシンク１９０により冷却される。また、ヒートシンク１９０の後方に形成されたフィン１９１の板面は、上下方向に対して垂直に形成される。
【００４５】
光源側光学系１７０により表示素子５１の画像形成面に照射された光源光である光線束は、表示素子５１の画像形成面で反射され、投影光として投影側光学系２２０を介してスクリーンに投影される。
【００４６】
投影側光学系２２０は、コンデンサレンズ１９５、ズームレンズ５１０、フォーカスレンズ５２０を備える。ズームレンズ５１０及びフォーカスレンズ５２０は、後述するレンズユニット２００の可動鏡筒内に内蔵される。また、ズームレンズ５１０及びフォーカスレンズ５２０は、個別の可動鏡筒に固定され、投影画像調整部１１ａで手動によりズーム調整及びフォーカス調整をすることができる。
【００４７】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介して導光装置１７５に入射され、さらに光源側光学系１７０を介して表示素子５１に入射される。よって、投影装置１０の表示素子５１であるＤＭＤがデータに応じて各色の光を時分割表示することにより、スクリーンにカラー画像を投影することができる。
【００４８】
次に、レンズユニット２００の構成について説明する。図５は、レンズユニット２００の左上の前方から見た分解斜視図である。図６は、レンズユニット２００の右下の下方から見た分解斜視図である。また、図７は摺動部材７１０，７２０を示す図であり、図８は図３に示したレンズユニット２００のＶＩＩＩ−ＶＩＩＩ断面図である。
【００４９】
レンズユニット２００は、レンズユニット本体４００と鏡筒カバー６００とを備える。レンズユニット本体４００は、レンズ鏡筒として、第１レンズ部品である固定鏡筒４１０、直進案内鏡筒４２０、第２レンズ部品である可動カム鏡筒４３０及び前方可動鏡筒４４０を有する。また、レンズユニット本体４００は、レンズ部として、ズームレンズ５１０（図８参照）と第３レンズ部品であるフォーカスレンズ５２０とを有する。
【００５０】
固定鏡筒４１０は、図８に示すように光源装置６０のケース６１の密閉空間に形成された開口部６１ａに固定される。固定鏡筒４１０は、ケース６１の内部から出射される画像光を鏡筒内に導光する。図５で、固定鏡筒４１０は、後端において略四角板状のフランジ部４１１を有し、略中央には前後に開口した円筒部４１２を有する。フランジ部４１１の四隅の角部には螺子用の貫通孔４１１ａが形成される。また、フランジ部４１１の左右の直線部には、位置決めピンを挿入するための貫通孔４１１ｂが形成される。
【００５１】
図８で、直進案内鏡筒４２０は円筒状に形成され、その後端側が円筒部４１２内に配置される。直進案内鏡筒４２０は、ズームレンズ５１０を内部に収容する。直進案内鏡筒４２０は、後端側の外周側面に形成された係止突起４２１（図５参照）が、円筒部４１２の前端と当接することにより、後方への移動が規制される。円筒部４１２の内部には、内径方向に周状に突出する内周リブ４１２ａが形成される。直進案内鏡筒４２０と固定鏡筒４１０とは、直進案内鏡筒４２０の後端に設けられた図示しない螺子孔に、円筒部４１２に設けられた螺子用の貫通孔に挿通される螺子Ｓ１が螺入されることで、互いに固定される。
【００５２】
直進案内鏡筒４２０には、前後方向に直線状の貫通孔４２２が形成される。直進案内鏡筒４２０は、貫通孔４２２を、周方向の略等間隔に有している。直進案内鏡筒４２０は、後方側の下側面において、螺子Ｓ２が挿入される螺子孔４２３を有する。また、図示はしないが、直進案内鏡筒４２０の外周に設けられる係合溝に、可動カム鏡筒４３０の内周に設けられた突起が係合する。これにより、直進案内鏡筒４２０は可動カム鏡筒４３０の周方向の回動動作を案内する。
【００５３】
可動カム鏡筒４３０は、図５及び図６に示すように、周方向斜めに形成されたカム溝４３１ａ，４３１ｂを有する。後方側のカム溝４３１ａは、後方から見て前方へ向かうに従い反時計回り方向に延設され、前方側のカム溝４３１ｂは、後方から見て前方へ向かうに従い時計回り方向に延設される。カム溝４３１ａ及びカム溝４３１ｂは、可動カム鏡筒４３０の外周方向に各々等間隔に３個ずつ設けられる。また、可動カム鏡筒４３０は、図６に示すように、カム溝４３１ｂの後方において、周方向に延設される回動溝４３２を有する。
【００５４】
可動カム鏡筒４３０は、直進案内鏡筒４２０を内部に挿入させて覆うように設けられる。そして、可動カム鏡筒４３０の回動溝４３２に直進案内鏡筒４２０の螺子Ｓ２の頭部が係合することにより、可動カム鏡筒４３０は、直進案内鏡筒４２０に対し前後方向の移動が規制され周方向の回動が許容される。また、可動カム鏡筒４３０は、回動溝４３２の両端縁に螺子Ｓ２の頭部が当接することにより、回動角度が予め定められた量に規制される。
【００５５】
前方可動鏡筒４４０は、略円筒状に形成され、直進案内鏡筒４２０内に収容される。また、前方可動鏡筒４４０は、フォーカスレンズ５２０を内部に収容する。前方可動鏡筒４４０は、後端側の外側面に、外方に突出する突起部４４１を有する。突起部４４１は、外側面に形成された螺子孔４４１ａにカムフォロア４４１ｂが螺子により固定されることで形成される。
【００５６】
前方可動鏡筒４４０の突起部４４１は、直進案内鏡筒４２０の貫通孔４２２と、可動カム鏡筒４３０のカム溝４３１ｂとに係合する。
【００５７】
ズームレンズ５１０は、全体が略円柱状に形成され、前方側の外側面に、外方に突出する突起部５１１を有する。突起部５１１は、外側面に形成された螺子孔５１１ａにカムフォロア５１１ｂが螺子により固定されることで形成される。
【００５８】
フォーカスレンズ５２０は全体が略円柱状に形成され、後方側の外周側面が雄螺子部５２１として形成される。フォーカスレンズ５２０は、その雄螺子部５２１が前方可動鏡筒４４０内の雌螺子部４４２と螺合することにより、前方可動鏡筒４４０に対して位置決めされる。フォーカスレンズ５２０の前方可動鏡筒４４０に対する前後位置は、雄螺子部５２１と雌螺子部４４２の螺入の深さにより定められる。フォーカスレンズ５２０は、前端側の外周側面に、４つの螺子孔５２２を有する。螺子孔５２２は、周方向に略等間隔で形成される。
【００５９】
図５に戻り、鏡筒カバー６００は、第１カバー部品６１０、第２カバー部品６２０及び第３カバー部品６３０を有する。第１カバー部品６１０は、略円筒状に形成され、後端側に略矩形状のフランジ部６１１を有する。フランジ部６１１の四隅には、螺子用の貫通孔６１１ａが形成される。第１カバー部品６１０の外周面には、フランジ部６１１から前方側へ延設されるリブ６１２が形成される。リブ６１２は、第１カバー部品６１０の外周側面の複数ヶ所に形成される。第１カバー部品６１０は、その貫通孔６１１ａと固定鏡筒４１０の貫通孔４１１ａとに挿通される螺子により、ケース６１に対して固定される。このとき、固定鏡筒４１０は、貫通孔４１１ｂに挿入されるケース６１の図示しない位置決めピンによって、開口部６１ａに対し位置決めされる。固定鏡筒４１０は、第１カバー部品６１０と共に、共締めにより固定される。
【００６０】
第１カバー部品６１０の外周には、リブ６１２の前方位置において、第１摺動部材７１０が巻回されている。ここで、第１摺動部材７１０は、図７の展開図に示すように、帯状に形成される。第１摺動部材７１０は、長手方向の一端側の幅方向の略中央に凸部７１１ａを含む係合部７１１を有し、他端側の幅方向の略中央に凹部７１２ａを含む被係合部７１２を有する。凸部７１１ａは、長矩形形状に形成される。凹部７１２ａは、長矩形状に切り欠かれて形成される。凹部７１２ａは、略Ｕ字状の枠部７１２ｂで囲われるように形成される。被係合部７１２の凹部７１２ａは、係合部７１１の凸部７１１ａと対応する形状を有している。係合部７１１と被係合部７１２との間には、略一定幅の直線部７１３が形成される。直線部７１３の幅は、枠部７１２ｂの幅と略同一である。
【００６１】
第１摺動部材７１０は、層構造を有している。第１摺動部材７１０は、ペットフィルム等の柔軟性があり伸縮性の小さい基材上に、ウレタン等の摺動性、気密性及び伸縮性のある伸縮部材が積層されて形成される。この伸縮部材は、厚み方向に圧縮可能であり、反発性を有する。その基材のうちの伸縮部材とは反対側の面に、接着剤や粘着剤が塗布等されることで、第１摺動部材７１０が取り付け対象の部品に固定される。
【００６２】
第１摺動部材７１０は、図５に示すように、第１カバー部品６１０の外周に対し巻回して固定される。係合部７１１の凸部７１１ａは、被係合部７１２の凹部７１２ａと係合する際、幅方向において凹部７１２ａに挟まれるように密着し、長さ方向において密着又は若干の隙間を有して遊嵌している。これにより、第１摺動部材７１０は、端部の合わせ目からの粉塵の侵入を防ぎつつ幅方向の気密性を高めることができる。また、第１摺動部材７１０は、第１摺動部材７１０の長さや第１カバー部品６１０の外周長さの寸法バラつきを吸収することができる。
【００６３】
第２カバー部品６２０は、略円筒状に形成される。第２カバー部品６２０は、後端側に筒径を拡大させた大径部６２１を有する。図８に示すように、大径部６２１の内径６２１ａは、第１カバー部品６１０のリブ６１２の外接円よりやや大きい径で形成される。そして、大径部６２１により、第１カバー部品６１０の前端が覆われるように重なって配置される。第１摺動部材７１０は、内側の第１カバー部品６１０の前端の外周において、第１カバー部品６１０と、第１カバー部品６１０を覆う外側の第２カバー部品６２０との間に配置される。
【００６４】
第２カバー部品６２０の前端側の外周には、第２摺動部材７２０が巻回される。第２摺動部材７２０は図７に示した第１摺動部材７１０と略同様の構成を有している。すなわち、第２摺動部材７２０は、係合部７２１、被係合部７２２及び直線部７２３を有し、帯状に形成される。また、第１摺動部材７１０と同様に、被係合部７２２の凹部７２２ａは、係合部７２１の凸部７２１ａと対応する形状を有している。なお、第２摺動部材７２０は、第１摺動部材７１０と材質を異ならせる等により第１摺動部材７１０よりも摩擦抵抗が小さく形成される。
【００６５】
第２カバー部品６２０の外周面には、操作摘み６２２が設けられる。操作摘み６２２は、第２カバー部品６２０の外径方向に突出しており、第２カバー部品６２０に対して螺子止めにより固定される。第２カバー部品６２０の前端縁には、断面円弧状の突起６２３が設けられる。
【００６６】
第２カバー部品６２０は、可動カム鏡筒４３０に対し固定される。したがって、可動カム鏡筒４３０は、第２カバー部品６２０と共に周方向に回動することができる。
【００６７】
また、第２カバー部品６２０は、大径部６２１の後端の内縁に、略突円弧に傾斜したテーパ状の案内部６２１ｂを有する。そのため、鏡筒カバー６００の組み立ての際に、第１カバー部品６１０を第２カバー部品６２０内に挿入するとき、第１摺動部材７１０が大径部６２１の後端面と挿入方向に接触して剥がれることを防止できる。
【００６８】
第３カバー部品６３０は、略筒状に形成される。第３カバー部品６３０の内径６３０ａは、第２カバー部品６２０の大径部６２１の内径６２１ａと略同径に形成される。図８に示すように、第２摺動部材７２０は、内側の第２カバー部品６２０の前端の外周において、第２カバー部品６２０と、第２カバー部品６２０を覆う外側の第３カバー部品６３０との間に配置される。第３カバー部品６３０は、前端側に筒径を縮小させた小径部６３１を有する。小径部６３１の外周側面には、径方向に貫通する螺子用の貫通孔６３２が形成される。貫通孔６３２は、外周周りの略等間隔に４ヶ所設けられる。第３カバー部品６３０は、フォーカスレンズ５２０の螺子孔５２２に対して貫通孔６３２を介して螺子止めされることにより、フォーカスレンズ５２０に固定される。
【００６９】
第３カバー部品６３０の前端の開口部は、レンズカバー６３３により前方から封止される。レンズカバー６３３は、透光性を有し、レンズユニット本体４００内から出射される光を透過させると共に、レンズユニット本体４００内への粉塵の侵入を防ぐ機能を有する。
【００７０】
第３カバー部品６３０の外周側面には、操作摘み６３４が設けられる。第３カバー部品６３０とフォーカスレンズ５２０とは互いに固定されているため、操作摘み６３４を周方向に回動させると、雄螺子部５２１の螺入深さが変わり、ズームレンズ５１０に対するフォーカスレンズ５２０の前後位置を調整することができる。
【００７１】
また、第３カバー部品６３０の後端の内縁には、略突円弧に傾斜したテーパ状の案内部６３０ｂが形成される。そのため、鏡筒カバー６００の組み立ての際に、第２カバー部品６２０を第３カバー部品６３０内に挿入するとき、第２摺動部材７２０が第３カバー部品６３０の後端面と挿入方向に接触して剥がれることを防止できる。
【００７２】
以上、説明したように、筒状のカバー部品を多段で使用し、外周に摺動部材７１０，７２０を配置することで、公差や取り付け傾きに依存しない密閉構造を確保ができると共に、レンズの手動位置調整機能を確保することができる。
【００７３】
また、帯状の摺動部材７１０，７２０の両端部形状を凸部７１１ａ，７２１ａを含む係合部７１１，７２１と凹部７１２ａ，７２２ａを含む被係合部７１２，７２２としたことで、摺動部材７１０，７２０を第１カバー部品６１０、第２カバー部品６２０及び第３カバー部品６３０に対して互いに密着させ、安価で組み立ての作業性もよく、摺動性も確保した鏡筒カバー６００を構成することができる。
【００７４】
なお、可動レンズであるズームレンズ５１０及びフォーカスレンズ５２０は、各々一つのレンズを有してもよいし、複数のレンズを有してもよい。
【００７５】
また、第１カバー部品６１０の前端が第２カバー部品６２０の後端を覆う構成としてもよい。この場合、第１摺動部材７１０は、第２カバー部材の後端側の外周に巻回させてもよい。同様に、第２カバー部品６２０の前端が第３カバー部品６３０の後端を覆う構成としてもよい。第２摺動部材７２０は、第２カバー部材の後端側の外周に巻回させてもよい。
【００７６】
また、本実施形態では、第２カバー部品６２０及び第３カバー部品６３０を、操作摘み６２２，６３４により、手動で操作する構成について説明したが、第２カバー部品６２０及び第３カバー部品６３０をモータといった駆動部により自動により操作される構成としてもよい。
【００７７】
また、本実施形態では、第１カバー部品６１０が固定鏡筒４１０と共にケース６１に固定される構成としたが、第１カバー部品６１０がケース６１に対し相対的に移動可能な構成としてもよい。さらに、可動部分の段数に応じ、第２カバー部品６２０を複数備えて、４段以上の多段の鏡筒カバー６００としてもよい。
【００７８】
（実施形態２）
次に、実施形態２について説明する。図９（ａ）はレンズユニット２００の中幅の第１摺動部材８１０を示す図であり、図９（ｂ）はその中幅の第１摺動部材８１０を配置した第１カバー部品６１０を示す図である。本実施形態では、実施形態１の第１摺動部材７１０及び第２摺動部材７２０の代わりに、第１摺動部材８１０及び第２摺動部材８２０を使用する。なお、以下の説明で、実施形態１と同様の構成については、同一の符号を付し、その説明を省略又は簡略化する。
【００７９】
第１摺動部材８１０は、図９（ａ）に示す展開状態において、帯状に形成される。第１摺動部材８１０は、一端側の幅方向の略中央に凸部８１１ａを含む係合部８１１を有し、他端側の幅方向の略中央に凹部８１２ａを含む被係合部８１２を有する。凸部８１１ａは、長矩形板状に形成される。凹部８１２ａは、長矩形状に切り欠かれて形成される。凹部８１２ａは、略Ｕ字状の枠部８１２ｂで囲われるように形成される。被係合部８１２の凹部８１２ａは、係合部８１１の凸部８１１ａと対応する形状を有している。係合部８１１と被係合部８１２との間には、略一定幅の直線部８１３が形成される。直線部８１３の幅は、凸部８１１ａの幅よりも広く形成される。また、直線部８１３の幅は、枠部８１２ｂの幅よりも狭く形成される。なお、第１摺動部材８１０は、実施形態１の第１摺動部材７１０と同様に、基材、柔軟部材及び接着剤による層構造を有している。
【００８０】
図９（ｂ）に示すように、第１摺動部材８１０は、実施形態１に示した第１摺動部材７１０の代わりに、第１カバー部品６１０に設けられる。
【００８１】
図１０（ａ）はレンズユニットの細幅の第２摺動部材８２０の展開図であり、図１０（ｂ）は細幅の第２摺動部材８２０を配置した第２カバー部品６２０を示す図である。
【００８２】
第２摺動部材８２０は、図１０（ａ）に示す展開状態において、帯状に形成される。第２摺動部材８２０は、一端側の幅方向の中央側に凸部８２１ａを含む係合部８２１を有し、他端側の幅方向の略中央に凹部８２２ａを含む被係合部８２２を有する。凸部８２１ａは、長矩形状に形成される。凹部８２２ａは、長矩形状に切り欠かれて形成される。凹部８２２ａは、略Ｕ字状の枠部８２２ｂで囲われるように形成される。被係合部８２２の凹部８２２ａは、係合部８２１の凸部８１１ａと対応する形状を有している。係合部８２１と被係合部８２２との間には、略一定幅の直線部８２３が形成される。直線部８２３の幅は、枠部８２２ｂの幅と略同一である。なお、第２摺動部材８２０も、実施形態１の第２摺動部材７２０と同様に、基材、柔軟部材及び接着剤による層構造を有している。
【００８３】
図１０（ｂ）に示すように、第２摺動部材８２０は、実施形態１に示した第２摺動部材７２０の代わりに、第２カバー部品６２０に設けられる。
【００８４】
本実施形態では、第１摺動部材及び第２摺動部材として、直線部の幅の異なる摺動部材を有する例について説明した。これにより、第１カバー部品６１０と第２カバー部品６２０との摩擦抵抗が、第２カバー部品６２０と第３カバー部品６３０との摩擦抵抗よりも大きくなるため、操作摘み６３４を回動させると、第２カバー部品６２０と第１カバー部品６１０とが接する部分が滑ることなく、第２カバー部品６２０と第３カバー部品６３０とが接する部分が滑り、フォーカスレンズ５２０のみを操作することができる。よって、ズームレンズ５１０とフォーカスレンズ５２０とを個別に操作することができる。
【００８５】
以上、各実施形態では、直線部の幅の異なる摺動部材７１０，８１０，７２０，８２０について示したが、係合部７１１，７２１，８１１，８２１及び被係合部７１２，７２２，８１２，８２２の形状を変更してもよい。例えば、凸部７１１ａ，７２１ａ，８１１ａ，８２１ａの形状を三角形状、クランク形状、湾曲形状、Ｔ字形状、Ｌ字形状等として、凸部、７１１ａ，７２１ａ，８１１ａ，８２１ａが凹部７１２ａ，７２２ａ，８１２ａ，８２２ａに係合して幅方向に対して付勢させても抜けない溝であればよい。係合部７１１，７２１，８１１，８２１は、被係合部７１２，７２２，８１２，８２２と係合する際、幅方向に応じて凹部７１２ａ，７２２ａ，８１２ａ，８２２ａに挟まれるように密着して、長さ方向に密着又は遊嵌する形状に形成される。
【００８６】
なお、第１摺動部材７１０，８１０及び第２摺動部材７２０，８２０は、接着剤の代わりに粘着剤を用いたり、その他の固定方法により、第１カバー部品６１０又は第２カバー部品６２０に固定することができる。
【００８７】
また、第２カバー部品６２０よりも第３カバー部品６３０の回動抵抗を低くすれば、ズームレンズ５１０とフォーカスレンズ５２０とを個別に操作することができる。第１摺動部材７１０よりも第２摺動部材７２０の摩擦抵抗を低くする方法を採用する場合、第１摺動部材７１０の厚さを第２摺動部材７２０よりも薄くして、摩擦抵抗を調整してもよい。また、実施形態２に示したように、第１摺動部材８１０の直線部８１３の幅を第２摺動部材８２０の直線部８２３よりも広くしてもよい。さらに、実施形態１のように、第１摺動部材７１０の材質を第２摺動部材７２０よりも摩擦抵抗の大きいものとしてもよい。
【００８８】
また、第１摺動部材７１０の摩擦抵抗を第２摺動部材７２０の摩擦抵抗より高くするために、同一の形状及び材質の摺動部材を、第２摺動部材７２０の位置よりも第１摺動部材７１０の位置に多く配置させてもよい。例えば、実施形態２で示したような細い直線部８２３を有する第２摺動部材８２０を、第１摺動部材８１０の位置に２つ以上配置してもよい。
【００８９】
（変形例）
上述の実施例においては、第１カバー部品６１０、第２カバー部品６２０及び第３カバー部品６３０の夫々が重なり合う部分における摩擦抵抗のみを考慮した実施例を例示したが、レンズユニット本体４００の各鏡筒部材の間で生じる摩擦抵抗を考慮するように構成する。
【００９０】
例えば、第１レンズ部品である固定鏡筒４１０、直進案内鏡筒４２０、可動カム鏡筒４３０及び前方可動鏡筒４４０の間に生じる摩擦抵抗の値に応じて、第１摺動部材７１０及び第２摺動部材７２０の摩擦抵抗値を調整するように構成される。
【００９１】
ここで、レンズユニットにおいて生じる摩擦抵抗値を以下のように定義する。第３カバー部品６３０と第２カバー部品６２０との間に生じる摩擦抵抗値をＡとし、第２カバー部品６２０と第１カバー部品６１０との間に生じる摩擦抵抗値をＢとする。また、直進案内鏡筒４２０と可動カム鏡筒４３０との間に生じる摩擦抵抗値をａとし、前方可動鏡筒４４０と直進案内鏡筒４２０との間に生じる摩擦抵抗値をｂとする。
【００９２】
実施形態２の構成では、レンズユニット本体４００に生じる摩擦抵抗は考慮しなかったため、Ａ＜Ｂとなるよう構成したが、レンズユニット本体４００において生じる摩擦抵抗値を考慮する場合、Ａ＜Ｂ+ｂの関係になるように第１摺動部材及び第２摺動部材の摩擦抵抗を設定しても良い。
【００９３】
上記のようにレンズユニット本体４００の鏡筒間に生じる摩擦抵抗の値を調整することにより、フォーカスレンズが独立して操作出来なくなってしまう問題を解決することが出来る。
【００９４】
また、第１摺動部材及び第２摺動部材として、直線部の幅の異なる摺動部材を有する例について説明したが、凸部及び凹部よりも幅を細く調整した直線部上に凸部と凹部を嵌合させた際に等間隔になるよう凸部及び凹部と同じ幅を持つダミー部（圧力分散部）を複数箇所形成するよう構成しても良い。このように構成することで、直線部と、凸部及び凹部との幅の差分から生じる第１カバー部品と第２カバー部品との間の圧力の偏りを均等に分散することが出来る。直線部上に等間隔で３箇所ダミー部を形成すると、カバー部品の円周上において摺動部材に加わる圧力が均等に分散される。また、このダミー部の幅の広さによって、第１摺動部材及び第２摺動部材の摩擦抵抗の大きさを変化させるようにしてもよい。
【００９５】
また、本実施形態では、第１カバー部品６１０と第２カバー部品６２０との間に摺動部材７１０，８１０を配置する場合、内側の第１カバー部品６１０は第１筒部を略全体に有し、外側の第２カバー部品６２０はその内側の第１カバー部品６１０の一部を覆う第２筒部を略全体に有する。或いは、第２カバー部品６２０と第３カバー部品６３０との間に摺動部材７２０，８２０を配置する場合、内側の第２カバー部品６２０は第１筒部を略全体に有し、外側の第３カバー部品６３０は第２筒部を略全体に有する。しかし、各カバー部品６１０，６２０，６３０は一部に筒部を有してもよく、第１筒部が内側の第１カバー部品６１０又は第２カバー部品６２０の一部に形成され、第２筒部が外側の第２カバー部品６２０又は第３カバー部品６３０の一部に形成される構成としてもよい。
【００９６】
以上、本実施形態の鏡筒カバー６００は、第１レンズ部品（固定鏡筒４１０）を覆い該第１レンズ部品に固定される筒状の第１カバー部品６１０と、第１レンズ部品に対して移動可能な第２レンズ部品（可動カム鏡筒４３０）を覆い該第２レンズ部品に固定されて、第１カバー部品６１０の前端と重ねて配置される筒状の第２カバー部品６２０と、第２レンズ部品に対して移動可能な第３レンズ部品（フォーカスレンズ５２０）を覆い該第３レンズ部品に固定されて、第２カバー部品６２０の前端と重ねて配置される筒状の第３カバー部品６３０と、第１カバー部品６１０と第２カバー部品６２０との間に配置される第１摺動部材７１０と、第２カバー部品６２０と第３カバー部品６３０との間に配置されて第１摺動部材７１０とは異なる摩擦抵抗の第２摺動部材７２０と、を備える。
【００９７】
そのため、部品同士の隙間を摺動性と気密性の高い摺動部材で封止することで、筒状のカバー部品を多段で使用して、摺動性と防塵性を両立することができる。よって、異物の侵入を防ぎつつ、摺動性を高める鏡筒カバー６００、レンズユニット２００及び投影装置１０を提供することができる。
【００９８】
また、第２摺動部材７２０が第１摺動部材７１０よりも摩擦抵抗が小さい鏡筒カバー６００は、第１レンズ部品、第２レンズ部品及び第３レンズ部品間の動作抵抗に寄らず、第２レンズ部品の回動抵抗を第１レンズ部品よりも下げることができる。
【００９９】
また、第２カバー部品６２０の後端が第１カバー部品６１０の前端を覆い、第３カバー部品６３０の後端が第２カバー部品６２０の前端を覆い、第１摺動部材７１０が第１カバー部品６１０の前端の外周に配置され、第２摺動部材７２０が第２カバー部品６２０の前端の外周に配置される、鏡筒カバー６００は、前方側に配置される第３カバー部品６３０の前端外径を小さくすることができるため、片持ち状に支持される鏡筒カバー６００が先端の重さにより撓る等して変形することを低減することができる。
【０１００】
また、第２カバー部品６２０の後端及び第３カバー部品６３０の後端の内縁がテーパ状に形成される鏡筒カバー６００は、鏡筒カバー６００の組み立てを容易にすることができる。
【０１０１】
また、第１カバー部品６１０が密閉空間に形成された光路の開口部６１ｂに固定され、第３カバー部品６３０が前端に透光性のあるレンズカバー６３３により封止されるレンズユニット２００は、光軸方向の防塵性も確保しながら光路を形成することができる。
【０１０２】
また、第１レンズ部品が固定鏡筒４１０であり、第２レンズ部品が第１レンズ部品に対して前後方向及び周方向に移動可能な可動鏡筒（可動カム鏡筒４３０）であり、第３レンズ部品が第２レンズ部品に対して前後方向及び周方向に移動可能な可動レンズ（フォーカスレンズ５２０）である、レンズユニット２００は、防塵性及び摺動性を有しながら内部に複数の可動レンズを備えることができる。
【０１０３】
なお、以上説明した各実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１０４】
以下に、本願出願の最初の特許請求の範囲に記載された発明を付記する。
［１］  ケースと、
第１レンズ部品、第２レンズ部品、及び第３レンズ部品を有し、当該第１レンズ部品を介して前記ケースに固定されるレンズユニット本体と、
前記第１レンズ部品の後端を覆い前記ケースに固定される筒状部を含む第１カバー部品と、
前記第１レンズ部品に対して移動可能な前記第２レンズ部品を覆い該第２レンズ部品に固定されて、その後端が前記第１カバー部品の前端と第１摺動部材を介して重ねて配置される筒状の第２カバー部品と、
前記第１レンズ部品に対して移動可能な前記第３レンズ部品を覆い該第３レンズ部品に固定されて、その後端が前記第２カバー部品の前端と第２摺動部材を介して重ねて配置される筒状の第３カバー部品と、
前記第１カバー部品に対する前記第２カバー部品の摺動抵抗は、前記第２カバー部品に対する前記第３カバー部品の摺動抵抗より大きいことを特徴とするレンズユニット。
［２］  前記第２摺動部材は、前記第１摺動部材よりも摩擦抵抗が小さいことを特徴とする上記［１］に記載のレンズユニット。
［３］  前記第１摺動部材は、前記第１カバー部品の前端の外周に配置され、
前記第２摺動部材は、前記第２カバー部品の前端の外周に配置される、
ことを特徴とする上記［１］又は上記［２］に記載のレンズユニット。
［４］  前記第２カバー部品の後端及び前記第３カバー部品の後端の内縁は、テーパ状に形成されることを特徴とする上記［３］に記載のレンズユニット。
［５］  前記第１カバー部品は、密閉空間に形成された光路の開口部に固定され、
前記第３カバー部品は、前端に透光性のあるレンズカバーにより封止される、
ことを特徴とする上記［１］〜［４］の何れか１項に記載のレンズユニット。
［６］  前記第１レンズ部品は、固定鏡筒であり、
前記第２レンズ部品は、前記第１レンズ部品に対して前後方向及び周方向に移動可能な可動鏡筒であり、
前記第３レンズ部品は、前記第２レンズ部品に対して前後方向及び周方向に移動可能な可動レンズである、
ことを特徴とする上記［１］〜［５］の何れか１項に記載のレンズユニット。
［７］  上記［１］〜［６］の何れかに記載のレンズユニットと、
光源装置と、
前記光源装置からの光源光が照射され、画像光を形成する表示素子と、
前記表示素子と前記光源装置を制御する投影装置制御部と、
を有し、
前記レンズユニットは、前記表示素子から出射された前記画像光をスクリーンに投影する、
ことを特徴とする投影装置。
【符号の説明】
【０１０５】
１０      投影装置                          １０ａ    上本体ケース
１０ｂ    下本体ケース                      １１      上面パネル
１１ａ    投影画像調整部                    １２      正面パネル
１２ａ    光出射部                          １２ｂ    投影口
１２ｃ    高さ調整ボタン                    １３      背面パネル
１４      右側パネル                        １５      左側パネル
１９      レンズカバー                      ２０      端子
２１      入出力コネクタ部                  ２２      入出力インターフェース
２３      画像変換部                        ２４      表示エンコーダ
２５      ビデオＲＡＭ                      ２６      表示駆動部
３１      画像圧縮／伸長部                  ３２      メモリカード
３５      Ｉｒ受信部                        ３６      Ｉｒ処理部
３７      キー／インジケータ部              ３８      制御部
４１      光源制御回路                      ４３      冷却ファン駆動制御回路
４７      音声処理部                        ４８      スピーカ
５１      表示素子
６０      光源装置                          ６１      ケース
６１ａ    開口部                            ７０      励起光照射装置
７１      青色レーザダイオード              ７３      コリメータレンズ
７４      ホルダ                            ７６      反射ミラー
７８      拡散板                            ８０      緑色光源装置
８１      ヒートシンク                      １００    蛍光板装置
１０１    蛍光板                            １１０    モータ
１１５    集光レンズ                        １１７ａ  集光レンズ
１１７ｂ  集光レンズ                        １２０    赤色光源装置
１２１    赤色光源                          １２５    集光レンズ群
１３０    ヒートシンク                      １４０    導光光学系
１４１    第一ダイクロイックミラー          １４３    第一反射ミラー
１４５    第二反射ミラー                    １４６    集光レンズ
１４７    集光レンズ                        １４８    第二ダイクロイックミラー
１４９    集光レンズ                        １７０    光源側光学系
１７３    集光レンズ                        １７５    導光装置
１７８    集光レンズ                        １７９    光軸変換ミラー
１８３    集光レンズ                        １８５    照射ミラー
１９０    ヒートシンク                      １９１    フィン
１９５    コンデンサレンズ                  ２００    レンズユニット
２２０    投影側光学系                      ２６０    吸気ファン
２７０    吸気ファン                        ２８０    排気ファン
３０１    電源装置                          ３０２    制御回路基板
３１０    吸気孔                            ３２０    吸気孔
３３０    吸気孔                            ３４０    排気孔
４００    レンズユニット本体                ４１０    固定鏡筒
４１１    フランジ部                        ４１１ａ  貫通孔
４１１ｂ  貫通孔                            ４１２    円筒部
４１２ａ  内周リブ                          ４２０    直進案内鏡筒
４２１    係止突起                          ４２２    貫通孔
４２３    螺子孔                            ４２４    係合溝
４３０    可動カム鏡筒                      ４３１ａ  カム溝
４３１ｂ  カム溝                            ４３２    回動溝
４４０    前方可動鏡筒                      ４４１    突起部
４４１ａ  螺子孔                            ４４１ｂ  カムフォロア
４４２    雌螺子部                          ５０１    角部
５０３    角部                              ５０４    角部
５１０    ズームレンズ                      ５１１    突起部
５１１ａ  螺子孔                            ５１１ｂ  カムフォロア
５２０    フォーカスレンズ                  ５２１    雄螺子部
５２２    螺子孔
６００    鏡筒カバー                        ６１０    第１カバー部品
６１１    フランジ部                        ６１１ａ  貫通孔
６１２    リブ                              ６２０    第２カバー部品
６２１    大径部                            ６２１ａ  内径
６２１ｂ  案内部                            ６２２    操作摘み
６２３    突起                              ６３０    第３カバー部品
６３０ａ  内径                              ６３０ｂ  案内部
６３１    小径部                            ６３２    貫通孔
６３３    レンズカバー                      ６３４    操作摘み
７１０    第１摺動部材                      ７１１    係合部
７１１ａ  凸部                              ７１２    被係合部
７１２ａ  凹部                              ７１２ｂ  枠部
７１３    直線部                            ７２０    第２摺動部材
７２１    係合部                            ７２１ａ  凸部
７２２    被係合部                          ７２２ａ  凹部
７２３    直線部
８１０    第１摺動部材                      ８１１    係合部
８１１ａ  凸部                              ８１２    被係合部
８１２ａ  凹部                              ８１２ｂ  枠部
８１３    直線部                            ８２０    第２摺動部材
８２１    係合部                            ８２１ａ  凸部
８２２    被係合部                          ８２２ａ  凹部
８２２ｂ  枠部                              ８２３    直線部
Ｓ１      螺子                              Ｓ２      螺子
【図１】
2019061011.tif 000003
【図２】
2019061011.tif 000004
【図３】
2019061011.tif 000005
【図４】
2019061011.tif 000006
【図５】
2019061011.tif 000007
【図６】
2019061011.tif 000008
【図７】
2019061011.tif 000009
【図８】
2019061011.tif 000010
【図９】
2019061011.tif 000011
【図１０】
2019061011.tif 000012